(57)【要約】      （修正有）【課題】長手方向の一端側に蓋が設けられた細長い水筒を弁当箱に固定しながら、弁当箱の姿勢に関わらず水筒の中身が漏れにくいようにした弁当容器セットを提供する。【解決手段】弁当容器セットは、蓋１２を閉めた状態で略直方体状となり、最も長い辺を含む面に係合部１３が設けられる弁当箱１０と、長手方向の一端側に長手方向に平行な軸周りに回転させることで開閉する蓋２２が設けられる水筒２０であって、蓋を閉めた状態で、弁当箱の係合部が設けられる面と略相似形の側面を有し、側面と弁当箱の係合部が設けられる面とが合わさった状態で互いに固定できるように、弁当箱の係合部に係合固定できる被係合部２３が側面に設けられる水筒とから構成される。【選択図】図２
0003188070.tif 000002
【実用新案登録請求の範囲】
【請求項１】
蓋を閉めた状態で略直方体状となり、最も長い辺を含む面に係合部が設けられる弁当箱と、
長手方向の一端側に長手方向に平行な軸周りに回転させることで開閉する蓋が設けられる水筒であって、当該蓋を閉めた状態で、前記弁当箱の係合部が設けられる面と略相似形の側面を有し、当該側面と前記弁当箱の係合部が設けられる面とが合わさった状態で互いに固定できるように、当該側面に、前記係合部に係合固定できる被係合部が設けられる水筒と
を有する弁当容器セット。
【請求項２】
前記弁当箱の係合部が設けられる面は、弁当箱の蓋と容器との接合縁を有する面であり、  前記係合部は、一部が前記弁当箱の蓋に形成され、一部が前記弁当箱の容器に形成されるものであって、前記係合部と前記被係合部とが係合することにより、前記弁当箱の蓋と容器とが互いに固定されるものである請求項１に記載の弁当容器セット。
【請求項３】
前記弁当箱は、前記最も長い辺に沿って２以上に分割可能に形成されるものであり、分割された各部分のうち、少なくとも両端位置に存する部分のそれぞれには前記係合部の一部が形成され、前記係合部と前記被係合部とが係合することにより、前記弁当箱の各部分が互いに固定されるものである請求項１または２に記載の弁当容器セット。
【請求項４】
前記弁当箱の係合部と、前記水筒の被係合部はいずれか一方が磁石であり、いずれか他方が当該磁石に吸着する磁性体又は磁石である請求項１から３のいずれか１項に記載の弁当容器セット。
【考案の詳細な説明】
【技術分野】
【０００１】
本考案は、弁当箱と水筒とが一体になった弁当容器セットに関する。
【背景技術】
【０００２】
弁当を持って出かける際に、水筒も一緒に持っていくことが多い。この際、通常は、弁当箱と水筒とは別々に運ぶが、これらを一体にしても持ち運べれば便利であると考えられる。下記特許文献には、弁当箱と水筒とを一体にできる考案が示されている。
【先行技術文献】
【特許文献】
【０００３】
【特許文献１】特開2000-116425号公報
【特許文献２】特開2006-204775号公報
【特許文献３】実開平1-86813号公報
【特許文献４】実用新案登録第3084945号公報
【特許文献５】特開2003-61730号公報
【考案の概要】
【考案が解決しようとする課題】
【０００４】
ところで、上記特許文献１、２に記載の考案は扁平な水筒を弁当箱の上面に倒した状態で置くものであり、円筒形の水筒の蓋が側面に倒れた状態で表出するので、蓋をしっかりと閉めていないと水筒の中身が漏れてしまう恐れがある。これに対して、上記特許文献３、４に記載の考案では弁当箱の上面に重ねる水筒の蓋は上方に設けられているので中身が漏れる恐れが少ないが、弁当箱の上面を底面形状とする水筒は扁平もしくは立方体に近い形状となるので非常に持ちにくく水筒として使用しづらいという問題が生じる。特許文献５に記載の考案は、弁当箱を重ねることで縦長の柱状として、これに円筒状の水筒を固定するもので、この形状であれば水筒は細長く持ちやすい形状でありながら、水筒の蓋が上方に設けられるので水筒の中身が漏れる恐れも少ない。しかし、特許文献５に記載の考案は弁当箱を縦に積み重ねるものに限定され、また、横に倒すと水筒の蓋が緩い場合には蓋が外れる恐れもある。
本考案は、このような問題に鑑みて、弁当箱と水筒とを一体にできる弁当容器セットにおいて、長手方向の一端側に蓋が設けられた細長い水筒を弁当箱に固定しながら、弁当箱の姿勢に関わらず水筒の中身が漏れにくいようにすることを課題とする。
【課題を解決するための手段】
【０００５】
上記課題を解決するために、本考案は次のような構成を有する。
請求項１に記載の考案は、蓋を閉めた状態で略直方体状となり、最も長い辺を含む面に係合部が設けられる弁当箱と、長手方向の一端側に長手方向に平行な軸周りに回転させることで開閉する蓋が設けられる水筒であって、当該蓋を閉めた状態で、前記弁当箱の係合部が設けられる面と略相似形の側面を有し、当該側面と前記弁当箱の係合部が設けられる面とが合わさった状態で互いに固定できるように、当該側面に、前記係合部に係合固定できる被係合部が設けられる水筒とを有する弁当容器セットである。
請求項２に記載の考案は、前記弁当容器セットにおいて、前記弁当箱の係合部が設けられる面は、弁当箱の蓋と容器との接合縁を有する面であり、  前記係合部は、一部が前記弁当箱の蓋に形成され、一部が前記弁当箱の容器に形成されるものであって、前記係合部と前記被係合部とが係合することにより、前記弁当箱の蓋と容器とが互いに固定されるものである。
請求項３に記載の考案は、前記弁当容器セットにおいて、前記弁当箱は、前記最も長い辺に沿って２以上に分割可能に形成されるものであり、分割された各部分のうち、少なくとも両端位置に存する部分のそれぞれには前記係合部の一部が形成され、前記係合部と前記被係合部とが係合することにより、前記弁当箱の各部分が互いに固定されるものである。
請求項４に記載の考案は、前記弁当容器セットにおいて、前記弁当箱の係合部と、前記水筒の被係合部はいずれか一方を磁石とし、いずれか他方を当該磁石に吸着する磁性体又は磁石としたものである。
【考案の効果】
【０００６】
以上のような構成により、本考案は次のような効果を奏する。
請求項１に記載の考案は、弁当箱の係合部と水筒の被係合部とが係合した状態では互いに略相似形の面同士が合わさった状態となるので、当該面の一部を構成する、回転により開閉する水筒の蓋は回転することができない。つまり、弁当箱と水筒とが一体となった状態では水筒の蓋が開かないので、水筒を倒した状態で弁当箱に固定しても水筒の中身が漏れる恐れがほとんどなく、水筒の固定姿勢を柔軟に設定することができる。
請求項２に記載の考案は、水筒を固定した状態で弁当箱の蓋を開かないようにすることができるので、弁当箱に別途蓋を固定する機構を設ける必要がなくなり、弁当箱の構造を簡易にすることができる。
請求項３に記載の考案は、分離する弁当箱において、水筒を固定した状態で分離する弁当箱の各部分を互いに固定できるので、弁当箱に別途外部ケースを設ける等の分離した部分を固定する構造が不要となるので、分離する弁当箱全体の構造を簡易にすることができる。
請求項４に記載の考案は、弁当箱の係合部と水筒の被係合部を磁石とこれに吸着する磁性体又は磁石とすることで、着脱が容易となり構造も簡易に形成することができる。
【図面の簡単な説明】
【０００７】
【図１】実施形態１に係る弁当容器セットの斜視図である。
【図２】実施形態１に係る弁当容器セットの分解斜視図である。
【図３】実施形態１に係る弁当箱の分解斜視図である。
【図４】実施形態１に係る水筒の分解斜視図である。
【図５】実施形態２に係る弁当容器セットの斜視図である。
【図６】実施形態２に係る弁当容器セットの分解斜視図である。
【図７】実施形態２に係る弁当箱の分解斜視図である。
【図８】第１の変形例に係る弁当容器セットの分解斜視図である。
【図９】第２の変形例に係る弁当容器セットの分解斜視図である。
【図１０】第３の変形例に係る弁当容器セットの分解斜視図である。
【考案を実施するための形態】
【０００８】
以下、本考案の実施の形態について、図面を参照しながら説明する。
（実施形態１）
図１に実施形態１に係る弁当容器セットＸの斜視図を示し、図２に弁当容器セットＸの分解斜視図を示す。弁当容器セットＸは弁当箱１０と水筒２０とから構成される。
弁当箱１０は容器１１と蓋１２とから構成され、蓋１２を閉じた状態で横長の直方体状に形成される。また、直方体状に形成される弁当箱１０の一側面には係合部１３が設けられる。係合部１３は、当該一側面に隣接する蓋１２の上面に、角に沿って溝を形成し、角の位置を下方にずらした上部係合部１３ａと、当該一側面に隣接する容器１１の底面に、角に沿って溝を形成し、角の位置を上方にずらした下部係合部１３ｂとにより構成される。図３に弁当箱１０の蓋１２を開いた状態を表す分解斜視図を示す。容器１１の上部開口縁近傍は蓋１２が嵌るように外周がやや小さく形成されるとともに、係合部１３が設けられる側と対向する側に下方側に隙間を形成するように長手方向に沿った凸部１１ａが設けられている。一方、蓋１２の下縁の凸部１１ａに重なる位置には、凸部１１ａの下方の隙間に嵌る鉤部１２ａが設けられている。蓋１２を閉じる際には、鉤部１２ａを凸部１１ａの下の隙間に刺し込むようにし、この部分を支点に回転させるようにして蓋１２を容器１１の上面に合わせるようにする。これにより、蓋１２は係合部１３側からしか開けることができなくなる。
【０００９】
水筒２０は本体２１と蓋２２とから構成され、蓋２１を閉じた状態で、弁当箱１０の係合部１３が設けられた面と相似形の面を有する直方体状に形成される。そして、水筒２０の当該相似形の面には弁当箱１０の係合部１３に係合する被係合部２３が設けられる。被係合部２３は前記上部係合部１３ａに嵌る断面鉤状の突条からなる上部被係合部２３ａと、前記下部係合部１３ｂに嵌る断面鉤状の突条からなる下部被係合部２３ｂとから構成される。図４に水筒２０の蓋２２を開けた状態の分解斜視図を示す。水筒２０は容器本体２１の上端に円筒状の飲み口２１ａが設けられるとともに、飲み口２１ａの外周には雄ネジが形成されている。また、蓋２２の底面側には飲み口２１が嵌る円筒状の穴２２ａが形成されるとともに、穴２２ａの内周面には飲み口２１ａの雄ネジに係合する雌ネジが形成されている。これらの雄ネジと雌ネジを係合させていくと、蓋２２と本体２１の外面同士が接触するが、この状態で図２に示すように水筒２０は直方体状になるように設定されている。また、穴２２ａの底面にはリング状のパッキンが固定されることで蓋２２が閉まった状態における飲み口２１ａの液密性を確保している。
【００１０】
次に、以上のような構成からなる弁当容器セットＸの使用方法について説明する。まず、使用者は図２のように弁当箱１０と水筒２０とを分離した状態にして、弁当箱１０の蓋１２を開いて中に弁当を詰めて再び蓋をするとともに、水筒２０の蓋２２を開いて中に飲み物を入れて蓋を閉じる。次に、弁当箱１０の係合部１３の一端に水筒２０の被係合部２３の一端を差し入れスライドさせて係合部１３と被係合部２３とを係合させて図１のような状態とする。この状態において、全体が一つの直方体状となって見栄えもよく、持ち運びや収納もしやすい。そして、弁当箱１０の蓋１２は、係合部１３と対向する側は蓋１２の鉤部１２ａと容器１１の凸部１１ａとが係合するとともに、係合部１３側では、上部係合部１３ａと下部係合部１３ｂとが、水筒２０の上部係合部２３ａと下部係合部２３ｂとで狭持固定されるので、開かないように固定される。また、水筒２０の蓋２２は、一側面が弁当箱１０の一側面に合わさった状態で、係合部１３と被係合部２３とが係合しているので、断面が四角い蓋２０は回転することができず、水筒２０の蓋２２も開かないように固定される。
このように本実施形態に係る弁当容器セットＸは弁当箱１０と水筒２０とを一体にして収納、運搬でき、一体にすることにより水筒２０の蓋２２を開かないようにできるので、水筒２０を倒した状態としても水筒２０の中身が漏れる恐れを低減させることができる。また、一体とすることにより弁当箱１０の蓋１２を開かないようにできるので、弁当箱１０に別途蓋を係止する手段を設けなくてもよく、構造を簡易にすることができる。
【００１１】
（実施形態２）
図５に実施形態２に係る弁当容器セットＹの斜視図を示し、図６に弁当容器セットＹの分解斜視図を示す。弁当容器セットＹも弁当箱３０と水筒４０とから構成される。
図７に弁当箱３０の分解斜視図を示す。弁当箱３０は３つの容器３１ａ、３１ｂ、３１ｃと蓋３２とから構成される。容器３１ａ、３１ｂの底面は蓋３２の裏側と同じ形状の凹部が形成されるとともに、各容器３１ａ、３１ｂ、３１ｃの上部開口縁近傍はこれらの凹部が嵌るように外周がやや小さく形成され、これにより、蓋３２、容器３１ａ、３１ｂ、３１ｃは重ねた状態で互いに係合して安定する。そして、この状態において弁当箱３０は縦長の直方体状に形成される。そして、直方体状に形成される弁当箱３０の一側面には係合部３３が設けられる。係合部３３は、当該一側面に隣接する蓋３２の上面に、角に沿って溝を形成し、角の位置を下方にずらした上部係合部３３ａと、当該一側面に隣接する最下端の容器３１ｃの底面に、角に沿って溝を形成し、角の位置を上方にずらした下部係合部３３ｂとにより構成される。また、容器３１ａの係合部３３が設けられる側と対向する側に下方側に隙間を形成するように長手方向に沿った凸部３１ａａが設けられている。一方、蓋３２の下縁の凸部３１ａａに重なる位置には、凸部３１ａａの隙間に嵌る鉤部３２ａが設けられている。蓋３２を閉じる際には、鉤部３２ａを凸部３１ａａの下の隙間に刺し込むようにし、この部分を支点に回転させるようにして蓋３２を容器３１ａの上面に合わせるようにする。これにより、蓋３２は係合部３３側からしか開けることができなくなる。
【００１２】
水筒４０は本体４１と蓋４２とから構成され、蓋４１を閉じた状態で、弁当箱３０の係合部３３が設けられた面と相似形の面を有する縦長の直方体状に形成される。そして、水筒４０の当該相似形の面には弁当箱３０の係合部３３に係合する被係合部４３が設けられる。被係合部４３は前記上部係合部３３ａに嵌る断面鉤状の突条からなる上部被係合部４３ａと、前記下部係合部３３ｂに嵌る断面鉤状の突条からなる下部被係合部４３ｂとから構成される。本体４１の内部上端と蓋４２の内部は実施形態１に係る水筒２０と同様なので説明は省略する。
【００１３】
次に、以上のような構成からなる弁当容器セットＹの使用方法について説明する。まず、使用者は図６のように弁当箱３０と水筒４０とを分離した状態にして、弁当箱３０の蓋３２を開き、容器３１ａ、３１ｂ、３１ｃを分離して各容器３１ａ、３１ｂ、３１ｃ中に弁当を詰めて再び容器３１ａ、３１ｂ、３１ｃを組み立てて蓋をする。また、水筒４０の蓋４２を開いて中に飲み物を入れて蓋を閉じる。次に、弁当箱３０の係合部３３の一端に水筒４０の被係合部４３の一端を差し入れスライドさせて係合部３３と被係合部４３とを係合させて図５のような状態とする。この状態において、全体が一つの直方体状となって見栄えもよく、持ち運びや収納もしやすい。そして、弁当箱３０の蓋３２は、係合部３３と対向する側は蓋３２の鉤部３２ａと容器３１の凸部３１aａとが係合するとともに、係合部３３側では、上部係合部３３ａと下部係合部３３ｂとが、水筒４０の上部係合部４３ａと下部係合部４３ｂとで狭持固定されるので、開かないように固定される。さらに、容器容器３１ａ、３１ｂ、３１ｃも蓋３２が固定された状態で、係合部３３側で、上部係合部３３ａと下部係合部３３ｂとが、水筒４０の上部係合部４３ａと下部係合部４３ｂとで狭持固定されることで分離できないように固定される。また、水筒４０の蓋４２は、一側面が弁当箱３０の一側面に合わさった状態で、係合部３３と被係合部４３とが係合しているので、断面が四角い蓋４０は回転することができず、水筒４０の蓋４２も開かないように固定される。
このように本実施形態に係る弁当容器セットYも弁当箱３０と水筒４０とを一体にして収納、運搬でき、一体にすることにより水筒４０の蓋４２を開かないようにできるので、水筒４０の中身が漏れる恐れを低減させることができる。また、一体とすることにより弁当箱３０の蓋３２を開かないようにできるので、弁当箱３０に別途蓋を係止する手段を設けなくてもよく、構造を簡易にすることができ、また、分離する弁当箱の容器３１ａ、３１ｂ、３１ｃも弁当箱３０と水筒４０とを一体とすることで、分離不能に固定されるので、各容器３１ａ、３１ｂ、３１ｃ同士を固定する構造を設ける必要が無くなり、この部分に関しても構造を簡易にできる。
【００１４】
なお、上記実施形態１では弁当箱は一つの容器から構成されるものであったが、実施形態２で示した弁当箱のように分離可能なものとすることができる。図８にこのように構成される弁当容器セットＺの分解斜視図を示す。弁当容器セットＺは水筒２０は実施形態１の水筒２０と同じであるが、弁当箱１０Ａは略中央で分断される小さな弁当箱１０Ａa、１０Ａbとから構成されている。小さな弁当箱１０Ａa、１０Ａbとは端面同士を接触させると実施形態１の弁当箱１０と外形が同じになるように形成されており、水筒２０と互いに係合することができる。
また、上記実施形態では、係合部と被係合部とは、上下に設けられた溝とこれに挿入される長手方向に連続する突条とから形成されたが、係合部と被係合部は種々の変形が可能である。例えば、図９に示す弁当容器セットＶのように係合部１３Ａを薄い磁石とし、被係合部２３Ａをこれに吸着する磁性板もしくは薄い磁石とすることが考えられる。このような構成にすると弁当箱と水筒とをスライドさせることなく、互いに着脱することができる。なお、図９の形態において係合部１３Ａを面ファスナーの係合部に、被係合部２３Ａを面ファスナーの被係合部に置き換えることができる。さらに、図１０に示す弁当容器セットＷのように、係合部１３Ｂを複数に配列された円筒状の突起とし、被係合部２３Ｂをこれらが嵌入固定できる複数に配列された穴とし、プラスチックのブロックおもちゃのように係合部とを被係合部とを着脱するような構成を採用することもできる。
【符号の説明】
【００１５】
Ｘ、Ｙ、Ｚ、Ｖ、Ｗ  弁当容器セット
１０、１０Ａ、３０  弁当箱
１３、１３Ａ、１３Ｂ、３３  係合部
２０、４０  水筒
２３、２３Ａ、２３Ｂ、４３  被係合部
【図１】
0003188070.tif 000003
【図２】
0003188070.tif 000004
【図３】
0003188070.tif 000005
【図４】
0003188070.tif 000006
【図５】
0003188070.tif 000007
【図６】
0003188070.tif 000008
【図７】
0003188070.tif 000009
【図８】
0003188070.tif 000010
【図９】
0003188070.tif 000011
【図１０】
0003188070.tif 000012